(57)【要約】      （修正有）【課題】解体工事等で使用する小型の重機などで使用することが可能な覆工板を提供する。【解決手段】平行に並ぶＨ形鋼の隣接する上下のフランジ相互が溶着された桁サポート本体１０と、桁サポート本体１０の外側のＨ形鋼のウェブ１１と上下フランジ１２、１３間とに溶着される板状を成す複数のウェブ補剛材１と、桁サポート本体１０の外側のＨ形鋼１１の上フランジ１２の長手方向に沿って溶着される長尺なフランジ補強材２と、桁サポート本体１０の長手両端部に溶着された板状の端部補強板３とで構成される。桁サポート本体１０の外側のＨ形鋼の上フランジ１２に、桁サポート本体１０を吊り上げる吊りフックを係止する吊り穴１２Ａを設けると共に、吊り穴１２Ａの周囲を補強する吊り穴補強板４を上フランジ１２に溶着した。【選択図】図２
0003230194.tif 000002
【実用新案登録請求の範囲】
【請求項１】
平行に並ぶＨ形鋼の隣接する上下のフランジ相互が溶着された桁サポート本体と、桁サポート本体の外側のＨ形鋼のウェブと上下フランジ間とに溶着される板状を成す複数のウェブ補剛材と、桁サポート本体の外側のＨ形鋼の上フランジに、上フランジの長手方向に沿って溶着される長尺なフランジ補強材と、桁サポート本体の長手両端部に溶着された板状の端部補強板とで構成されたことを特徴とする覆工板。
【請求項２】
前記桁サポート本体の外側のＨ形鋼の前記上フランジに、前記桁サポート本体を吊り上げる吊りフックを係止する吊り穴を設けると共に、吊り穴の周囲を補強する吊り穴補強板を前記上フランジに溶着した請求項１記載の覆工板。
【請求項３】
前記桁サポート本体の上面を横断する棒状の滑り止めが複数本溶着された請求項１記載の覆工板。
【考案の詳細な説明】
【技術分野】
【０００１】
本考案は、主に解体工事に使用する覆工板に係り、特に小型の解体重機を載せて使用することができる覆工板に関するものである。
【背景技術】
【０００２】
覆工板は、工事の過程で空いた空洞部分を一時的に覆うことで仮に使えるようにするものである。例えば、長期的に行う道路工事などで夜間穴の掘削をした後、その穴の上に覆工板を載せることで、昼間は車両や歩行者が通れるようにする。
【０００３】
特許文献１の覆工板は、当出願人が先に提案したもので、主に100tから200t程度の大型の解体重機を載置可能にした構成である。すなわち、地下室等の開口上部に覆工板を設置し、解体工事で使用する大型の解体重機を支持できるように構成したものである。
【先行技術文献】
【特許文献】
【０００４】
【特許文献１】実用新案登録第３２０１７１４号公報
【考案の概要】
【考案が解決しようとする課題】
【０００５】
従来の覆工板は、地下室等の上に、解体工事で使用する大型の解体重機を支持する構成である。ところが解体工事では、例えば10t前後の小型の解体重機を使用して解体する工事もある。そして、覆工板の移動や設置は使用する解体重機で行うものであるから、従来のように重量が重い覆工板では、小型の解体重機による移動設置が困難になっている。
【０００６】
一方、覆工板を軽量にして小型の解体重機で移動可能にしたとしても、軽量な覆工板で10t前後の解体重機の支持や走行を可能にする必要がある。
【０００７】
そこで本考案は、上述の課題を解消すべく案出されたもので、小型の解体重機などによる移動設置ができ、10t前後の解体重機の支持や走行を可能にする覆工板の提供を目的とするものである。
【課題を解決するための手段】
【０００８】
上述の目的を達成すべく本考案における第１の手段は、平行に並ぶＨ形鋼の隣接する上下のフランジ１２、１３相互が溶着された桁サポート本体１０と、桁サポート本体１０の外側のＨ形鋼のウェブ１１と上下フランジ１２、１３間とに溶着される板状を成す複数のウェブ補剛材１と、桁サポート本体１０の外側のＨ形鋼の上フランジ１２に、上フランジ１２の長手方向に沿って溶着される長尺なフランジ補強材２と、桁サポート本体１０の長手両端部に溶着された板状の端部補強板３とで構成されたものである。
【０００９】
第２の手段は、前記桁サポート本体１０の外側のＨ形鋼の前記上フランジ１２に、前記桁サポート本体１０を吊り上げる吊りフックＱを係止する吊り穴１２Ａを設けると共に、吊り穴１２Ａの周囲を補強する吊り穴補強板４を前記上フランジ１２に溶着したことにある。
【００１０】
第３の手段は、前記桁サポート本体１０の上面を横断する棒状の滑り止め５が複数本溶着されたものである。
【考案の効果】
【００１１】
請求項１のごとく、平行に並べられたＨ形鋼の隣接する上下のフランジ１２、１３相互が溶着された桁サポート本体１０と、桁サポート本体１０の外側のＨ形鋼のウェブ１１と上下フランジ１２、１３間とに溶着される板状を成す複数のウェブ補剛材１と、桁サポート本体１０の外側のＨ形鋼の上フランジ１２に、上フランジ１２の長手方向に沿って溶着される長尺なフランジ補強材２と、桁サポート本体１０の長手両端部に溶着された板状の端部補強板３とで構成したことにより、軽量な覆工板の提供が可能になり、小型の解体重機などでも運搬することができると共に、10t前後の解体重機Ｐの支持や走行も可能になる。
【００１２】
請求項２のように、桁サポート本体１０の外側のＨ形鋼の前記上フランジ１２に、桁サポート本体１０を吊り上げる際に使用する吊りフックＱを係止する吊り穴１２Ａを設けると共に、吊り穴１２Ａの周囲を補強する吊り穴補強板４を上フランジ１２に溶着したことにより、吊り穴１２Ａの強度を高めることができる。したがって、覆工板を吊り上げて移動する際に、安全な移動が可能になる。
【００１３】
請求項３のように、桁サポート本体１０の上面を横断する棒状の滑り止め５が複数本溶着されることで、解体重機のキャタピラー走行を安全且つ容易にすることができる。また、これら複数本の滑り止め５は、桁サポート本体１０の表面側の強度を高める作用もある。
【００１４】
このように本考案によると、小型の解体重機などによる移動設置ができ、10t前後の解体重機の支持や走行を可能にすることができるなどといった独自の効果を奏するものである。
【図面の簡単な説明】
【００１５】
【図１】本考案の一実施例を示す要部斜視図である。
【図２】本考案の一実施例を示す分解斜視図である。
【図３】本考案の一実施例を示す要部拡大斜視図である。
【図４】本考案の使用例を示す概略斜視図である。
【考案を実施するための形態】
【００１６】
以下、本考案の実施例を説明する。本考案の覆工板は、主に解体工事に使用するもので、例えば、地下室の天井部に設置し、10t前後の解体重機Ｐを走行できるように構成したものである。
【００１７】
本考案の主要構成は、複数本のＨ形鋼で構成された桁サポート本体１０を使用する。この桁サポート本体１０を構成するＨ形鋼は、例えば、SS400鋼材（250×125×6×9×6500単位mm）を使用するもので、平行に並べた複数本のＨ形鋼の隣接する上下のフランジ１２、１３相互が溶着されて一体化した状態を桁サポート本体１０と称する（図１参照）。
【００１８】
この桁サポート本体１０に、ウェブ補剛材１、フランジ補強材２、端部補強板３、吊り穴補強板４、滑り止め５の各部材が設けられている（図２参照）。
【００１９】
ウェブ補剛材１は、桁サポート本体１０の外側のＨ形鋼のウェブ１１と上下フランジ１２、１３間とに溶着される板状を成す部材である（図３参照）。図示例では、長方形状を成した補剛材１の高さをウェブ１１と同じ高さに形成すると共に、ウェブ補剛材１の幅を上下のフランジ１２、１３の張り出し巾と同じ長さに形成している。
【００２０】
フランジ補強材２は、桁サポート本体１０の外側のＨ形鋼の上フランジ１２に、該上フランジ１２の長手方向に沿って溶着される長尺な部材である（図１参照）。図示のフランジ補強材２は、上フランジ１２の長手方向に沿った下面に溶着して桁サポート本体１０の長手側縁部の強度を高めている（図３参照）。
【００２１】
端部補強板３は、桁サポート本体１０の長手両端部に溶着された板状の部材である（図１、図２参照）。この端部補強板３により、平行に連結された各Ｈ形鋼の間隙は被覆される。この結果、加圧ロール１０の溶着された各Ｈ形鋼の隙間に、他の物品等が侵入するのを防止する。図示の端部補強板３は、桁サポート本体１０の長手両端部の形状に合わせた矩形状を成している。
【００２２】
吊り穴補強板４は、吊り穴１２Ａの周囲に溶接される部材である（図２参照）。この吊り穴１２Ａは、桁サポート本体１０の外側のＨ形鋼の上フランジ１２に形成されている。したがって、吊り穴補強板４もこの上フランジ１２に溶着されている（図３参照）。
【００２３】
吊り穴１２Ａは、桁サポート本体１０を吊り上げる際に使用する部位で、任意の吊りフックＱを係止するように設けている（図３参照）。図示例では、覆工板専用の吊りフックＱを使用するように記載しているが、この吊りフックＱ等の係止具の選択は自由である。すなわち、吊り穴補強板４は、この吊り穴１２Ａにどのような係止具が係止されても吊り穴１２Ａが変形しないように補強している。
【００２４】
滑り止め５は、桁サポート本体１０の上面を横断する棒状の部材である（図１参照）。このように、多数の滑り止め５を桁サポート本体１０の上面に溶着することで、解体重機Ｐのキャタピラー走行を安全にしている。また、この滑り止め５により、桁サポート本体１０の表面強度を高める作用もある。
【００２５】
尚、本考案の構成は、図示例に限定されるものではなく、本考案の主旨を変更しない範囲での設計変更や、設置位置等は任意に行えるものである。
【符号の説明】
【００２６】
Ｐ  解体重機
Ｑ  吊りフック
１  ウェブ補剛材
２  フランジ補強材
３  端部補強板
４  吊り穴補強板
５  滑り止め
１０  桁サポート本体
１１  ウェブ
１２  上フランジ
１２Ａ  吊り穴
１３  下フランジ
【図１】
0003230194.tif 000003
【図２】
0003230194.tif 000004
【図３】
0003230194.tif 000005
【図４】
0003230194.tif 000006